(57)【要約】【課題】  発光キーボード構造を提供する。【解決手段】  主にキーボード本体を含む。該キーボード本体上には数個のキーキャップを結合し、該キーボード本体及びキーキャップは透明で、各キーキャップ底端には弾力体を設置し、該キーキャップ内には発光体を結合し、該発光体の導電ピンは該キーキャップの外表面に密着し、該キーボード本体上には導電片を設置し、該キーキャップが下向きの圧力を受けた時、該発光体の導電ピンは該導電片と相互に接触し、発光体は一時的な点滅或いは継続的な光を発する。該キーキャップは弾力体の弾力により自動的に元の位置に戻り、使用者はキーボードを使用する時、該押されたキーキャップが生じる光はまばゆい視覚効果を達成する。【選択図】  図５
0003106701.tif 000002
【実用新案登録請求の範囲】
【請求項１】
主に透明のキーボード本体、透明のキーキャップ、発光体、弾力体、上、下薄膜回路板、底板を含み、
該透明のキーボード本体上には数個の孔を設置し、該孔内の対応する両側壁面底縁にはそれぞれ対応するガードブロックを延伸し、各１個の方形の孔の底端にはそれぞれ４枚の２枚づつが相対する定位板を設置し、設置空間を形成し、その内の２枚の対応する定位板上には導電片を設置し、
該透明のキーキャップはキャップ体を含み、該キャップ体底端には中空柱体を延伸し、該中空柱体外表面は４個の２個が相対する設置部に区画し、その内１個の対応する設置部底縁には突起ブロックを延伸し、該キーキャップの中空柱体を該キーボード本体の孔中に挿入設置し、該中空柱体外表面の突起ブロックと該孔内壁面のガードブロックは同一側に位置し、相互に支え合い、
該発光体は該キーキャップの中空柱体内に設置し、その上の導電ピンを該中空柱体外表面の突起ブロックを未設置の別の設置部中に設置し、該２個のガスケットと該キーボード本体の定位板上の導電片は同一側に位置し、
該弾力体は該キーボード本体底端の４枚の定位板が形成する設置空間中に設置し、弾力体を定位し、該キーキャップの中空柱体底縁と相互に接触し、
該上、下薄膜回路板は該キーボード本体の底面に設置し、
該底板は該キーボード本体の底面に固定し、すべての構成部品を該キーボード本体中に封鎖し、
該キーキャップが下向きの圧力を受ける時、該発光体の導電ピンは該導電片と相互に接触し、点滅或いは一時的な光を発し、該キーキャップはランプのような様相を呈することを特徴とする発光キーボード構造。
【請求項２】
前記キーボード本体上の数個の孔は方形であることを特徴とする請求項１記載の発光キーボード構造。
【請求項３】
前記キーボード本体定位板上に設置する導電片上には突起を設置し、前記発光体の導電ピンと相互に接触し、電源と電気的に接続し電力の導電を行うことを特徴とする請求項１記載の発光キーボード構造。
【請求項４】
前記キーキャップの中空柱体外表面は等距離で４枚の隔板を延伸し、前記中空柱体外表面を４個の２個づつ相対する設置部に区画することを特徴とする請求項１記載の発光キーボード構造。
【請求項５】
前記発光体の２個の導電ピン上にはそれぞれガスケットを固定し、該ピンは湾曲し、前記ガスケットと前記発光体と平行状で、前記キーキャップの中空柱体設置部中に設置することを特徴とする請求項１記載の発光キーボード構造。
【請求項６】
前記弾力体はややお碗形を呈し、内部には凹部を具え、該凹部は前記キーボード本体の底面に向って設置することを特徴とする請求項１記載の発光キーボード構造。
【請求項７】
前記上、下薄膜回路板は共に相対応する接触点を設置し、前記上薄膜回路板は前記弾力体に押された時、その上の接触点は前記下薄膜回路板の接触点と導通し、信号をサーバに伝送することを特徴とする請求項１記載の発光キーボード構造。
【請求項８】
前記キーボード本体上のキーキャップは着信表示機能を持たせることができ、携帯電話が着信した時、該携帯電話が発する電磁波により前記キーキャップ中に結合する発光体を駆動し一時的な点滅光を生じさせ、走馬灯のような現象を生じることを特徴とする請求項１記載の発光キーボード構造。
【考案の詳細な説明】
【技術分野】
【０００１】
本考案は一種の発光キーボード構造に関する。特に一種の押されたキーボードが点滅し、或いは一時的な光を発し、まばゆい効果を達成する発光キーボード構造に係る。
【背景技術】
【０００２】
時代の変遷と共に科学技術産業は絶えず進歩し、コンピュータは既に一家に一台の割合で普及していると言っても過言ではない。コンピュータ操作において、キーボードは不可欠のパーツである。デスクトップPC、ノートPCの別にかかわらずキーボードはコンピュータ操作時のコントロールインターフェースであるため、コンピュータ産業においてキーボードは非常に重要である。
図１に示すように、公知のキーボードはキーボード本体Ａを含む。該キーボード本体Ａ上には数個のキーキャップＢを結合し、各キーキャップＢはすべて同時に多種の特殊な定義を具える。例えば、同一キーキャップＢは注音符号、句読点、中国語入力のための倉頡符号、アルファベット、或いは他の機能など各種入力法の符号を表しており、上記定義を通して、使用者は該キーキャップＢが表す定義をどれにするかを自身で設定し、文字の輸入或いは他の関連機能の操作を進めることができる。
しかし、公知のキーボードは使用者に正常なコンピュータ操作を提供することはできるが、どれも代わり映えしない外観で全体的に単調で独創性と新鮮味に欠ける。もしキーボードが発光機能を具え、操作時に該キーキャップＢが光を発するなら、使用者に新奇な感覚を与えることができる。
【考案の開示】
【考案が解決しようとする課題】
【０００３】
公知構造には以下の欠点があった。
すなわち、公知のキーボードはどれも代わり映えしない外観で全体的に単調で独創性と新鮮味に欠けるため、購買意欲を刺激することができない。また公知のキーボードは入力コントロール機能を提供するだけで、一切の付加機能を具えない。
本考案は上記構造の問題点を解決した発光キーボード構造を提供するものである。
【課題を解決するための手段】
【０００４】
上記課題を解決するため、本考案は下記の発光キーボード構造を提供する。
それは主に本考案は透明のキーボード本体、透明キーキャップ、発光体、弾力体、上薄膜回路板、下薄膜回路板により構成し、
該キーボード本体上には数個の方形の孔を設置し、該孔内の対応する両側壁面底縁にはそれぞれ対応するガードブロックを延伸し、該それぞれの方形の孔の底端にはそれぞれ４個の弧状を呈する定位板を設置し、該４個の定位板は２個づつ相互に対応し、その内の対応する２個の定位板上には導電片を設置し、
該キーキャップはキャップ体を含み、該キャップ体底端には中空柱体を延伸し、該キャップ体底端には中空柱体を延伸し、該中空柱体外表面には等距離に４個の隔板を延伸し、該中空柱体外表面を４個の設置部に区画し、その内１個の対応する設置部底縁には突起ブロックを延伸し、該キーキャップの中空柱体を該キーボード本体の孔中に挿入設置し、該中空柱体外表面の２個の設置部上の突起ブロックと該孔内壁面の対応するガードブロックは同一側に位置し、相互に支え合い、
該発光体は該キーキャップの中空柱体内に設置し、その上の導電ピンは湾曲し該中空柱体外表面の突起ブロックを未設置の別の設置部中に設置し、該２個のガスケットと該キーボード本体の定位板上の導電片は同一側に位置し、
該弾力体はややお碗形を呈し、該キーボード本体底端の４枚の定位板が形成する設置空間中に設置し、弾力体を定位し、該キーキャップの中空柱体底縁と相互に接触し、
該上、下薄膜回路板は該キーボード本体の底面に設置し、
該上薄膜回路板の接触点は該弾力体と相互に接触し、該キーキャップが下方へと圧力を受けた時、該弾力体はそれに従い弾力を生じ、かつ該上薄膜回路板と該下薄膜回路板の接触点を相互に接触させ、信号をコンピュータに伝送し、該発光体の導電ピンは導電片と相互に接触し、一時的な点滅或いは継続的な光を発し、該キーキャップが力を受けない時には、該弾力体の弾力により元の位置を回復し、該発光体の導電ピンと導電片は離脱することを特徴とする発光キーボード構造である。
【考案の効果】
【０００５】
上記のように、本考案はキーボード本体及びキーキャップを透明状とし、キーキャップ中に発光体を結合し、キーキャップが下方へと押された時、該発光体の発光を駆動し、該押されたキーキャップは発光し、新奇な視覚効果を達成する。さらに本考案はキーボードのキーキャップを発光可能状態とし、該キーキャップは携帯電話の着信表示を行うことができ、キーボードに付加機能を持たせることができる。加えて本考案はキーボードのキーキャップを発光可能状態とし、該キーボードはコンピュータモニタが表示する文字を、光源排列方式を通してキーボード中に表示することができ、キーボードの付加価値を高めることができる。また本考案のキーボード本体はスイッチを設置し、発光体のオン/オフをコントロールし、スイッチがオフである時には、キーボード本体の付加機能は失われる。さらに本考案はキーボード本体上の任意の位置に広告マークを設置し、発光体が生じる光を通して一層明確とし広告効果を達成することができる。
【考案を実施するための最良の形態】
【０００６】
図２、３、４に示すように、本考案の発光キーボード構造はキーボード本体１、キーキャップ２、発光体３、弾力体４、上薄膜回路板５、下薄膜回路板６を含む。
該キーボード本体１は透明状で、該キーボード本体１上には数個の方形の孔１１を設置し、該方形の孔１１内の対応する両側壁面底縁にはそれぞれ対応するガードブロック１２を延伸し、各方形の孔１１の底部四方にはそれぞれやや弧状を呈する定位板１３を設置する。該４個の定位板１３は２個づつ相互に対応し、やや円形を呈する設置空間１４を形成する。２個の対応する定位板１３上には導電片１５を設置し、該導電片１５上には突起１５１を設置する。該突起１５１は方形の孔１１中に露出し、該導電片１５は電源と電気的に接続し、電力を伝導する。
【０００７】
該キーキャップ２は透明状で、キャップ体２１及び中空柱体２２を含む。該中空柱体２２は該キャップ体２１の底端に設置し、該中空柱体２２の外表面において等距離で４枚の隔板２３を延伸する。これにより、該中空柱体２３外表面を４個が２個づつ相対する設置部２４に区画し、その内一対の対応する設置部２４底縁には突起ブロック２５を延伸する。該突起ブロック２５により該キーキャップ２の中空柱体２１は該キーボード本体１の方形の孔１１中に挿入設置され、こうして該中空柱体２２外表面の２個の設置部２４上の突起ブロック２５と該方形の孔１１内壁面の対応するガードブロック２５は同一側に位置することとなる。これにより相互に支え合い、該キーキャップ２の該方形の孔１１からの離脱を防止し、該中空柱体２２の該突起ブロック２５を未設置である反対側の２個の設置部２４は、該キーボード本体１の定位板１３上の導電片１５と同一側に位置する。
【０００８】
該発光体３の２個の導電ピン３１上にはそれぞれガスケット３２を設置する。該２個のピン３１は湾曲しており、該ガスケット３２と該発光体３は相互に平行状である。該発光体３は該キーキャップ２の中空柱体２２内に設置し、該発光体３上のガスケット３２は該中空柱体２２外表面の該突起ブロック２５を未設置の別の設置部２４中にぴったりと設置され、該２個のガスケット３２と該キーボード本体１の定位板１３上の対応する導電片１５は同一側に位置する。
該弾力体４はややお碗形を呈し、内部には凹部４１を具える。該弾力体４は該キーボード本体１底端の４個の定位板１３が形成する設置空間１４中に設置され、該弾力体４は定位され、その底端は該キーキャップ２の中空柱体２２底縁と相互に接触し、該凹部４１は下に向って設置される。
【０００９】
該上薄膜回路板５上には接触点を設置し、該上薄膜回路板５は該キーボード本体１の底面に結合する。こうしてその上の接触点と碗型弾力体４は相互に対応する。
該下薄膜回路板６上には該上薄膜回路板５と相対する接触点を設置し、該下薄膜回路板６は該上薄膜回路板５の底面に結合し、その上の接触点と該上薄膜回路板６の接触点は相対する。
該底板１６は該キーボード本体１の底面に固定し、すべての構成部品を該キーボード本体１中に封鎖する。
【００１０】
図５、６、７に示すように、本考案の作動時には、使用者が手部７により該キーキャップ２のキャップ体２１を押すと、該キャップ体２１は下向きの圧力を受け該弾力体４が下方へと押され弾力を生じ、かつ該弾力体4は該上薄膜回路板５を下方へと移動させる。こうしてその上の接触点と該下薄膜回路板６の接触点は相互に接触し、信号をサーバに伝送する。続いて該発光体３のガスケット３２は該キーキャップ２の中空柱体２２が下方へと移動した影響を受け、該キーボード本体１の定位板１３上の導電片突起１５１と相互に接触し、一時的な点滅或いは継続的な光を発し、まばゆい視覚効果を達成する。
使用者の手部７が該キーキャップ２のキャップ体２１を離れると、該キーキャップ２は該弾力体４の弾力により元の位置を回復し、該発光体３のガスケット３２と該導電片突起１５１は離れ、発光は停止する。
【００１１】
続いて図８に示すように、該キーボード本体１上のキーキャップ２は着信表示機能を持たせることができる。携帯電話８が着信した時、該携帯電話８が発する電磁波は該キーキャップ２中に結合する発光体３を駆動し、一時的な点滅光を生じる。該光を発するキーキャップ２は特定の数個或いは該キーボード本体１四周囲に設置するキーキャップ２とすることができ、使用者に着信を知らせる。
さらに図９に示すように、本考案のキーボード本体１のキーキャップ２はサーバ９１からの信号を受信することができ、コンピュータモニタ９２中に表示される文字を該光体３が生じる光を通して該キーボード本体１中に表示することができる。例えば、コンピュータモニタ９２中に「Ｌｏｖｅ」と表示したなら、該キーボード本体１上の発光体３は「Ｌｏｖｅ」の並びを発光表示し、該キーボード本体１は広告パネルのような役割を担うこともでき、キーボードの付加価値を向上させることができる。
また図１０に示すように、本考案のキーボード本体１上にはスイッチ９３及び広告マーク９４を設置することもできる。該スイッチ９３は発光体３のオン/オフをコントロールし、該スイッチ９３がオフである時、該発光体３は光を生じない。該広告マーク９４は該キーボード本体１の任一の位置に設置し、該発光体３が生じる光を一層明確にし広告効果を達成することができる。
【図面の簡単な説明】
【００１２】
【図１】公知のキーボードの指示図である。
【図２】本考案発光キーボード構造の立体指示図である。
【図３】本考案発光キーボード構造の分解指示図である。
【図４】本考案発光キーボード構造のキーボード本体背面指示図である。
【図５】本考案発光キーボード構造の断面作動指示図である。
【図６】本考案発光キーボード構造の断面作動指示図である。
【図７】本考案発光キーボード構造の作動指示図である。
【図８】本考案発光キーボード構造の第一実施例指示図である。
【図９】本考案発光キーボード構造の第二実施例指示図である。
【図１０】本考案発光キーボード構造の第三実施例指示図である。
【符号の説明】
【００１３】
１  キーボード本体
１１  孔
１２  ガードブロック
１３  定位板
１４  設置空間
１５  導電片
１５１  突起
１６  底板
２  キーキャップ
２１  キャップ体
２２  中空柱体
２３  隔板
２４  設置部
２５  突起ブロック
３  発光体
３１  導電ピン
３２  ガスケット
４  弾力体
４１  凹部
５  上薄膜回路板
６  下薄膜回路板
７  手部
８  携帯電話
９１  サーバ
９２  コンピュータモニタ
９３  スイッチ
９４  広告マーク
Ａ  公知のキーボード本体
Ｂ  公知のキーキャップ
【図１】
0003106701.tif 000003
【図２】
0003106701.tif 000004
【図３】
0003106701.tif 000005
【図４】
0003106701.tif 000006
【図５】
0003106701.tif 000007
【図６】
0003106701.tif 000008
【図７】
0003106701.tif 000009
【図８】
0003106701.tif 000010
【図９】
0003106701.tif 000011
【図１０】
0003106701.tif 000012